(57)【要約】【課題】包装箱や使用説明書に確実に損傷を与えつつ、再生紙として再利用可能な寸法に包装箱や使用説明書を切断するシュレッダーを提供する。【解決手段】医薬品を収納する包装箱１及び／又は包装箱１に収納される使用説明書を処理対象物とするシュレッダー２であり、当該シュレッダー２は、間隔を空けて並置され水平軸周りに互いに逆向きに回転する一対の回転軸５１，５１と、回転軸５１の軸方向に間隔を空けて各回転軸５１に取り付けられ包装箱１及び／又は使用説明書を切断する切断刃５２と、隣り合う切断刃５２の間において各回転軸５１に取り付けられ包装箱１及び／又は使用説明書に孔を開ける損傷刃５３と、を備える。【選択図】図７
2011245403.tif 000002
【特許請求の範囲】
【請求項１】
医薬品を収納する包装箱及び／又は前記包装箱に収納される使用説明書を処理対象物とするシュレッダーであって、
間隔を空けて並置され、水平軸周りに互いに逆向きに回転する一対の回転軸と、
前記回転軸の軸方向に間隔を空けて前記各回転軸に取り付けられ、前記包装箱及び／又は前記使用説明書を切断する切断刃と、
隣り合う前記切断刃の間において前記各回転軸に取り付けられ、前記包装箱及び／又は前記使用説明書に孔を開ける損傷刃と、
を備えたことを特徴とするシュレッダー。
【請求項２】
前記損傷刃は、隣り合う前記切断刃の間において複数配置されていることを特徴とする請求項１に記載のシュレッダー。
【請求項３】
前記損傷刃は、円盤状に形成されており、外周面には、周方向に沿って等角度離間し且つ外方に向かって突出する複数の突起部が形成されていることを特徴とする請求項１または請求項２に記載のシュレッダー。
【請求項４】
前記一対の回転軸同士の間に前記包装箱及び／又は前記使用説明書を投入する投入部をさらに備え、
前記投入部は、
前記一対の回転軸よりも下方において前記包装箱及び／又は前記使用説明書を貯留するバケットと、
前記バケットを傾動自在に保持する保持部と、
前記保持部を上下方向に移動自在に支持する本体部と、
前記保持部を上下方向に移動させる移動手段と、
前記一対の回転軸の上方に設置され、前記バケットに貯留された前記包装箱及び／又は前記使用説明書を受け取って前記一対の回転軸同士の間に供給するホッパと、を有し、
前記バケットは、前記保持部に対して傾動自在に連結された傾動軸と、前記傾動軸よりも前記ホッパ側に設けられた被押圧部と、を有し、
前記本体部は、前記保持部の上昇に伴って、前記被押圧部を下方に向かって押圧する押圧部を有することを特徴とする請求項１乃至請求項３のいずれか一項に記載のシュレッダー。
【発明の詳細な説明】
【技術分野】
【０００１】
本発明は、シュレッダーに関するものである。
【背景技術】
【０００２】
従来、不要になった紙などを切断するためのシュレッダーが多数開発され実用化に至っている。
【０００３】
例えば、特許文献１に記載のシュレッダーは、間隔を空けて並置され且つ水平軸周りに互いに逆向きに回転する一対の回転軸と、前記各回転軸に取り付けられ且つ回転軸の軸方向に間隔を空けて配置された複数の切断刃と、を備えて構成されている。また、一方の回転軸に取り付けられた切断刃と、他方の回転軸に取り付けられた切断刃とは、その外周縁同士が接触した状態で軸方向に沿って交互に隙間無く配置されている。そして、当該シュレッダーでは、回転軸の回転に伴って、紙などが、一対の回転軸同士の間に引き込まれつつ、一方の回転軸に取り付けられた切断刃と他方の回転軸に取り付けられた切断刃との間で切断されるように構成されている。
【先行技術文献】
【特許文献】
【０００４】
【特許文献１】特開平８−３２３２３２号公報
【発明の概要】
【発明が解決しようとする課題】
【０００５】
ところで、医薬品を収納する包装箱や当該包装箱に収納される使用説明書（以下、「包装箱」という。）を製造する過程において、欠陥が生じることがある。このような欠陥が生じたときには、廃棄物処理業者に包装箱を引き渡して焼却処分することが一般的に行われている。また、焼却処分する際には、包装箱が転売されて不正利用されるのを防止するため、薬品製造会社の社員が廃棄物処理業者に同行して、確実に焼却処分されたことを確認している。そのため、廃棄に掛かる費用や手間が増大していた。
【０００６】
そこで、シュレッダーを用いて包装箱を切断して、切断された包装箱を再生紙の材料として再利用（リサイクル）することで、廃棄に掛かる費用や手間を低減することが考えられる。なお、リサイクル業者は、包装箱を回収する条件として、長さや幅に関する最低限必要な寸法（最小寸法）を定めている。
【０００７】
しかし、従来のシュレッダーでは、一方の回転軸に取り付けられた切断刃と、他方の回転軸に取り付けられた切断刃とが、その外周縁同士が接触した状態で軸方向に沿って交互に隙間無く配置されているため、包装箱が最小寸法より小さく切断され易く、再生紙の材料として包装箱を利用することが困難であった。
【０００８】
本発明は、このような観点から創案されたものであり、包装箱や使用説明書に確実に損傷を与えつつ、再生紙として再利用可能な寸法に包装箱や使用説明書を切断できるシュレッダーを提供することを課題とする。
【課題を解決するための手段】
【０００９】
前記課題を解決するため本発明は、医薬品を収納する包装箱及び／又は前記包装箱に収納される使用説明書を処理対象物とするシュレッダーであって、間隔を空けて並置され、水平軸周りに互いに逆向きに回転する一対の回転軸と、前記回転軸の軸方向に間隔を空けて前記各回転軸に取り付けられ、前記包装箱及び／又は前記使用説明書を切断する切断刃と、隣り合う前記切断刃の間において前記各回転軸に取り付けられ、前記包装箱及び／又は前記使用説明書に孔を開ける損傷刃と、を備えたことを特徴とする。
【００１０】
本発明によれば、隣り合う切断刃の間に損傷刃を設けることにより、損傷刃で包装箱や使用説明書に孔を開けて、確実に損傷を与えることが可能となるため、隣り合う切断刃の間隔を広げて、包装箱や使用説明書の切断寸法を大きく取ることが可能となる。したがって、再生紙として再利用可能な寸法に包装箱や使用説明書を切断することができる。
【００１１】
また、前記損傷刃は、隣り合う前記切断刃の間において複数配置されている構成とするのが好ましい。
【００１２】
かかる構成によれば、包装箱や使用説明書の損傷範囲を拡大させることが可能となり、隣り合う切断刃の間隔を広げても、より確実に包装箱や使用説明書に損傷を与えることができる。
【００１３】
また、前記損傷刃は、円盤状に形成されており、外周面には、周方向に沿って等角度離間し且つ外方に向かって突出する複数の突起部が形成されている構成とするのが好ましい。
【００１４】
かかる構成によれば、包装箱や使用説明書の損傷範囲を拡大させることが可能となり、より確実に包装箱や使用説明書に損傷を与えることができる。
【００１５】
また、前記一対の回転軸同士の間に前記包装箱及び／又は前記使用説明書を投入する投入部をさらに備え、前記投入部は、前記一対の回転軸よりも下方において前記包装箱及び／又は前記使用説明書を貯留するバケットと、前記バケットを傾動自在に保持する保持部と、前記保持部を上下方向に移動自在に支持する本体部と、前記保持部を上下方向に移動させる移動手段と、前記一対の回転軸の上方に設置され、前記バケットに貯留された前記包装箱及び／又は前記使用説明書を受け取って前記一対の回転軸同士の間に供給するホッパと、を有し、前記バケットは、前記保持部に対して傾動自在に連結された傾動軸と、前記傾動軸よりも前記ホッパ側に設けられた被押圧部と、を有し、前記本体部は、前記保持部の上昇に伴って、前記被押圧部を下方に向かって押圧する押圧部を有する構成とするのが好ましい。
【００１６】
かかる構成によれば、バケットに包装箱や使用説明書を大量に貯留することができるとともに、バケットを上昇させることによって大量の包装箱や使用説明書をホッパを介して一対の回転軸同士の間に供給することができるので、大量の包装箱や使用説明書を効率よく切断処理及び孔開け処理することができる。また、バケットを上昇させることによってバケットのホッパ側の被押圧部を下方に押圧して、バケットをホッパ側に傾けることができるので、バケットを傾けるための駆動装置を別途設ける必要がなく、投入部の構成を簡素化することができる。
【発明の効果】
【００１７】
本発明のシュレッダーによれば、包装箱や使用説明書に確実に損傷を与えつつ、再生紙として再利用可能な寸法に包装箱や使用説明書を切断することができる。
【図面の簡単な説明】
【００１８】
【図１】図１は、本発明の実施形態に係るシュレッダーの処理対象物である包装箱の一例を示す図であり、（ａ）は組み立てられた状態の包装箱を示す斜視図、（ｂ）は折り畳まれた状態の包装箱を示す斜視図である。
【図２】実施形態に係るシュレッダーの右側面図である。
【図３】投入部を拡大して示した右側面図である。
【図４】投入部を拡大して示した正面図である。
【図５】処理部及び回収部の正面図である。
【図６】処理部の図５に示すＩ−Ｉ矢視平面図である。
【図７】図６に示す処理部の拡大平面図である。
【図８】図８は、切断刃の構成を示す図であり、（ａ）は正面図、（ｂ）は斜視図である。
【図９】図９は、損傷刃の構成を示す図であり、（ａ）は正面図、（ｂ）は斜視図である。
【図１０】処理部の図６に示すＩＩ−ＩＩ矢視断面図である。
【発明を実施するための形態】
【００１９】
本発明の実施形態について、図面を参照して詳細に説明する。説明において、同一の要素には同一の符号を付し、重複する説明は省略する。
【００２０】
シュレッダーの説明に先立って、処理対象物である包装箱について図１を参照して説明する。図１は、本発明の実施形態に係るシュレッダーの処理対象物である包装箱の一例を示す図であり、（ａ）は組み立てられた状態の包装箱を示す斜視図、（ｂ）は折り畳まれた状態の包装箱を示す斜視図である。
図１（ａ）に示すように、包装箱１は、略直方体を呈し、その内部に図示しない医薬品及び使用説明書を収納する。また、包装箱１の表面には、図示しない医薬品の名称や製造会社の名称などが記載されている。この包装箱１を処理する場合には、略扁平状に折り畳まれた状態で（図１（ｂ）参照）、シュレッダー２（図２参照）に投入される。
【００２１】
＜シュレッダー２＞
図２は、実施形態に係るシュレッダーの右側面図である。
本実施形態のシュレッダー２は、投入された包装箱１（図１参照）を切断すると共に、包装箱１に孔を開ける装置である。シュレッダー２は、図２に示すように、包装箱１を投入する投入部３と、投入された包装箱１の切断処理及び孔開け処理を行う処理部５と、切断及び孔開けされた包装箱１を回収する回収部７と、を主に有している。
【００２２】
また、シュレッダー２は、その全体を箱状の筐体２１に覆われている。説明の便宜のため、図２では筐体２１を二点鎖線で描いている。筐体２１の前面２１ａには、作業台２２が設けられており、作業台２２の上方には投入部３に通じる投入用扉（図示省略）が設けられている。また、筐体２１の後面２１ｂには、換気装置２３が設置されている。なお、筐体２１の後面２１ｂの下部には、切断及び孔開けされた包装箱１を回収するための回収用扉（図示省略）が設けられている。
【００２３】
＜投入部３＞
図３は、投入部を拡大して示した右側面図である。図４は、投入部を拡大して示した正面図である。
図２乃至図４に示すように、投入部３は、処理すべき包装箱１を貯蔵するバケット３１と、バケット３１を傾動自在に保持する保持部３２と、保持部３２を上下方向に移動自在に支持する本体部３３と、保持部３２を上下方向に移動させる移動手段３４と、バケット３１に貯蔵された包装箱１を受け取って処理部５に供給するホッパ３５と、を備えている。
【００２４】
バケット３１は、上部が開口した箱状の容器であり、処理すべき包装箱１を貯蔵するとともに、後記するホッパ３５に貯蔵した包装箱１を供給する機能を有している。
バケット３１は、図３に示すように、側面視で、上辺よりも下辺が短い台形状を呈しており、後側（処理部５側）の傾斜面３１ａは、傾動軸３１ｂを介して保持部３２に傾動自在に固定されている。バケット３１は、図３に示すように、傾動軸３１ｂよりも後側の位置に被押圧部３１ｃを有している。被押圧部３１ｃは、バケット３１が上昇したときに後記する押圧部３３ｄによって相対的に下方に押圧されることで、バケット３１を処理部５側に傾ける機能を有している。被押圧部３１ｃは、図４に示すように、バケット３１の側面から突出しており、押圧部３３ｄに対して前後方向に移動可能なように例えばローラ部材などで構成されている。
バケット３１の開口部の左右側部には、フランジ部３１ｄ、３１ｄが斜め上方に向かって延出形成されており、バケット３１を傾けたときに包装箱１が左右にこぼれ難いようになっている。
【００２５】
保持部３２は、図３、図４に示すように、バケット３１の下方に配置されてバケット３１を傾動自在に保持する凹溝状の部材である。保持部３２の左右の側壁３２ａ，３２ａの後側の上面には、軸受３２ｂ、３２ｂが設けられており、この軸受３２ｂには、バケット３１の傾動軸３１ｂが傾動自在に固定されている。
また、保持部３２の左右の側面（図３では右側の側面のみ図示）の前寄りの位置及び後寄りの位置には、後記する４本のガイド部材３３ａにスライド自在にそれぞれ外嵌するスライド部３２ｃが設けられている。
【００２６】
本体部３３は、図２乃至図４に示すように、保持部３２を上下に移動自在に支持するガイド部材３３ａと、このガイド部材３３ａを支持する支持枠３３ｂと、を備えている。
【００２７】
ガイド部材３３ａは、垂直に立設された円柱状の部材であり、保持部３２の左右側方に、互いに前後に離間して２本ずつ（合計４本）配置されている。ガイド部材３３ａは、保持部３２の各スライド部３２ｃに挿通されており、保持部３２の上下の移動を許容しながら、水平方向の移動を制限している。ガイド部材３３ａの上端及び下端は、支持枠３３ｂに固定されている。
【００２８】
支持枠３３ｂは、例えば軽量形鋼などを組み合わせて構成された骨組部材である。支持枠３３ｂの形状は、必要に応じて適宜に構成すればよい。
支持枠３３ｂは、図３、図４に示すように、バケット３１及び保持部３２の左右側方であって後方寄りの位置に、２本の縦枠３３ｃを有している。２本の縦枠３３ｃの上部には、バケット３１の被押圧部３１ｃを下向きに押圧する押圧部３３ｄが、内側（バケット３１側）に向かって突設されている。
【００２９】
移動手段３４は、図４に示すように、保持部３２を上下に移動させる装置であり、駆動モータ３４ａと、ボールねじ３４ｂと、移動部３４ｃと、を有している。
駆動モータ３４ａは、保持部３２の左側であって支持枠３３ｂの上部に固定されている。ボールねじ３４ｂの上端は、駆動モータ３４ａの出力軸に固定されており、ボールねじ３４ｂの下端は、ブラケット３４ｄを介して支持枠３３ｂの下部に回転自在に固定されている。移動部３４ｃは、保持部３２の左側の側面に固定されている。移動部３４ｃは、ボールねじ３４ｂを挿通するねじ孔３４ｅを有しており、ボールねじ３４ｂの回転に伴って上下に移動するようになっている。
【００３０】
また、移動手段３４を補助する装置として、保持部３２の右側に、バランスシリンダ３７が設置されている。バランスシリンダ３７は、シリンダ３７ａと、ロッド３７ｂと、を備えている。シリンダ３７ａは、保持部３２の右側であって支持枠３３ｂの上部に固定されている。ロッド３７ｂの上端側は、シリンダ３７ａに挿入されており、ロッド３７ｂの下端側は、保持部３２の右側の側面に固定されている。シリンダ３７ａは、例えば高圧エアが供給されており、ロッド３７ｂに上向きの力を付与している。そのため、バケット３１及び保持部３２を上方に移動する際に、移動手段３４が負担すべき荷重が軽減される。
【００３１】
ホッパ３５は、図２及び図５に示すように、四角筒状かつテーパ状の部材である。ホッパ３５は、図示しないブラケット等を介して支持枠３３ｂに固定されて、処理部５の上方に配置されている。
ホッパ３５は、バケット３１から包装箱１を投入するための開口である投入口３５ａと、包装箱１を処理部５に供給するための開口である供給口３５ｂと、投入口３５ａと供給口３５ｂとを連結するテーパ部３５ｃと、投入口３５ａの周縁に立設された壁部３５ｄと、を有している。
投入口３５ａは、供給口３５ｂよりも前後方向の幅が大きく形成されており、バケット３１側に大きく張り出している。テーパ部３５ｃは、投入口３５ａから供給口３５ｂに向かって下り傾斜となっている。供給口３５ｂの左右の側面は、後記する処理部５の切断刃５２及び損傷刃５３の形状に合わせて円弧状に切り欠かれている。壁部３５ｄは、平面視で略コ字状に形成されており、投入口３５ａの後縁と、左右両縁の後ろ寄りの部分に立設されている。
【００３２】
＜処理部５＞
図５は、処理部及び回収部の正面図である。図６は、処理部の図５に示すＩ−Ｉ矢視平面図である。図７は、図６に示す処理部の拡大平面図である。図８は、切断刃の構成を示す図であり、（ａ）は正面図、（ｂ）は斜視図である。図９は、損傷刃の構成を示す図であり、（ａ）は正面図、（ｂ）は斜視図である。図１０は、処理部の図６に示すＩＩ−ＩＩ矢視断面図である。
処理部５は、包装箱１を切断すると共に、包装箱１に孔を開ける装置であり、バケット３１の後方であってホッパ３５の下方に設置されている。処理部５は、投入部３用の支持枠３３ｂの後方に連結された処理部５用の支持枠５７に固定されている。
【００３３】
処理部５は、図５乃至図７に示すように、水平軸周りに回転する一対の回転軸５１，５１と、回転軸５１の軸方向に沿って間隔を空けて配置され且つ各回転軸５１に取付けられた複数の切断刃５２，５２と、隣り合う切断刃５２の間に配置され且つ各回転軸５１，５１に取り付けられた複数の損傷刃５３，５３と、一対の回転軸５１，５１を回転自在にそれぞれ支持する軸受部５４，５４と、一対の回転軸５１，５１を回転させるための駆動部５５，５５と、駆動部５５，５５の回転力を一対の回転軸５１，５１にそれぞれ伝達するギア部５６，５６と、を有している。
【００３４】
一対の回転軸５１，５１は、図６、図７に示すように、軸方向に直交する方向に間隔を空けて並置されており、包装箱１を挟み込む部分（切断刃５２同士及び損傷刃５３同士が対向する部分）５Ａにおいて、上から下に向かって回転するように、互いに逆向きに回転している。
【００３５】
切断刃５２は、図８に示すように、円盤状に形成されており、その外周面には、周方向に沿って等角度離間する複数の（例えば４つの）刃部５２ａ，５２ａが形成されている。また、切断刃５２の中心には、回転軸５１が嵌合される六角形状の孔部５２ｂが貫通して形成されている。一方の回転軸５１に取り付けられる切断刃５２と、他方の回転軸５１に取り付けられる切断刃５２とは、挟み込む部分５Ａにおいて、刃部５２ａの側面同士が接触するように（軸方向に重なり合うように）配置されている。
【００３６】
損傷刃５３は、図７に示すように、隣り合う各切断刃５２の間において回転軸５１の軸方向に沿って間隔を空けて３枚ずつ配置されており、損傷刃５３同士の間及び切断刃５２と損傷刃５３の間には、切断刃５２及び損傷刃５３よりも小径のカラー５８が回転軸５１に嵌装されている。損傷刃５３は、図９に示すように、円盤状に形成されており、その外周面には、周方向に沿って等角度離間し且つ外方に向かって突出する複数の（例えば６つの）突起部５３ａ，５３ａが形成されている。
【００３７】
突起部５３ａは、内方から外方に向かうにつれて周方向の幅が幅狭となる段差状に形成されており、損傷刃５３の外周面に連続して形成された基端部５３ｃと、この基端部５３ｃより周方向の幅が小さく形成され且つその先端面が円弧面に形成された先端部５３ｄと、から構成されている。また、損傷刃５３の中心には、回転軸５１が嵌合される六角形状の孔部５３ｂが貫通して形成されている。一方の回転軸５１に取り付けられる損傷刃５３と、他方の回転軸５１に取り付けられる損傷刃５３とは、挟み込む部分５Ａにおいて、突起部５３ａの側面同士が接触するように（軸方向に重なり合うように）配置されている。
【００３８】
ここで、図７に示すように、隣り合う切断刃５２，５２の間隔をＰ１（ｍｍ）とし、損傷刃５３同士の間隔及び切断刃５２と損傷刃５３の間隔をＰ２（ｍｍ）としたときに、Ｐ１は例えば４６ｍｍに設定され、Ｐ２は例えば１１．５ｍｍに設定されることが好ましい。このように設定すると、４６ｍｍより大きい長さ寸法及び幅寸法を有する包装箱１が投入されたときには、包装箱１が切断されると共に孔を開けられることになる。また、４６ｍｍ以下の長さ寸法及び幅寸法を有する包装箱１が投入されたときには、少なくとも包装箱１が孔を開けられることになる。なお、Ｐ１及びＰ２は、前記数値に限定されることなく、リサイクル業者の定める最小寸法を考慮して適宜設定されることになる。
【００３９】
軸受部５４は、図５、６に示すように、例えば滑り軸受などで構成されており、処理部５用の支持枠５７に固定されている。
駆動部５５は、例えば電動モータなどで構成されており、一対の回転軸５１の左右両側にそれぞれ配置されている。駆動部５５の出力軸５５ａは、水平に配置されている。
ギア部５６は、図５に示すように、回転軸５１の一端部に連結された第１ギア５６ａと、第１ギア５６ａに噛み合うとともに駆動部５５の出力軸５５ａに連結された第２ギア５６ｂと、を有しており、第１ギア５６ａと第２ギア５６ｂのギア比を調節することにより、一対の回転軸５１，５１が所定の速度とトルクで回転するようになっている。
【００４０】
＜回収部７＞
回収部７は、図５に示すように、処理部５から落下する包装箱１を案内するシュート７１と、処理された包装箱１を収集する容器７２と、容器７２を固定するための固定用治具７３と、を備えている。
【００４１】
シュート７１は、下方に向かうほど左右方向の幅が狭くなるように形成された筒状部材である。シュート７１は、処理部５の直下に設置されている。
容器７２は、上端が開口した有底四角筒状の部材である。容器７２は、シュート７１の下方に配置されている。
固定用治具７３は、矢倉状に骨組みされたフレーム部７３ａと、容器７２の上縁を挟んで把持する把持部７３ｂと、を有している。把持部７３ｂは、フレーム部７３ａの下端部に設けられている。フレーム部７３ａは、図示しない固定具を介して支持枠５７に固定されている。
【００４２】
本実施形態に係るシュレッダー２は、基本的には以上のように構成されるものであり、次に、本実施形態に係るシュレッダー２の動作及び作用効果について、図１乃至図１０を適宜参照して説明する。
【００４３】
初めに、図２に示すように、シュレッダー２の操作者は、筐体２１の前面２１ａにある投入用扉（図示省略）を開けて、略扁平状に折り畳まれた状態の包装箱１（図２参照）をバケット３１に投入する。なお、初期状態では、バケット３１は処理部５よりも下方に配置されているので、包装箱１を容易に投入することができる。バケット３１が一杯になったら、操作者は、操作盤を操作して、シュレッダー２の運転を開始する。
【００４４】
シュレッダー２の運転が開始されると、図４に示すように、移動手段３４の駆動モータ３４ａによってボールねじ３４ｂが回転し、移動部３４ｃが上昇するとともに、移動部３４ｃに固定された保持部３２及びこの保持部３２に保持されたバケット３１が上昇する。このとき、保持部３２の右側面にはバランスシリンダ３７が取り付けられており、保持部３２にロッド３７ｂを介して上向きの力が加えられているので、移動手段３４が負担する荷重が軽減される。
【００４５】
図３に示すように、バケット３１及び保持部３２が上昇すると、バケット３１の後端部に設けた被押圧部３１ｃが、縦枠３３ｃに設けた押圧部３３ｄに当接する（図３の二点鎖線参照）。この状態で、さらに保持部３２が上昇すると、バケット３１の被押圧部３１ｃは相対的に下向きに押圧される。これにより、バケット３１は、保持部３２の上昇に伴って傾動軸３１ｂを中心にして後端側が下を向くように傾動を開始する。なお、被押圧部３１ｃは、ローラで構成されているので、バケット３１の傾動に伴って押圧部３３ｄの下面に沿って前後に滑らかに移動することができる。
【００４６】
図１０に示すように、バケット３１が傾動すると、バケット３１に貯蔵されていた包装箱１が、投入口３５ａからホッパ３５内に落下する。ホッパ３５に落下した包装箱１は、テーパ部３５ｃに案内されて供給口３５ｂから処理部５の上に供給される。これにより、大量の包装箱１を一度に容易に処理部５に供給することができる。
【００４７】
図１０に示すように、一対の回転軸５１，５１は、包装箱１を挟み込む部分（切断刃５２同士及び損傷刃５３同士が対向する部分）５Ａにおいて、上から下に向かって回転するように、互いに逆向きに回転している。
【００４８】
このような処理部５の上に供給された包装箱１は、一方の回転軸５１に取り付けられた切断刃５２と他方の回転軸５１に取り付けられた切断刃５２との間に挟み込まれて切断されると共に、一方の回転軸５１に取り付けられた損傷刃５３と他方の回転軸５１に取り付けられた損傷刃５３との間に挟み込まれて孔を開けられる。
【００４９】
切断され且つ孔を開けられた包装箱１は、シュート７１を通って容器７２の内部に堆積する。すべての包装箱１の切断及び孔開けが完了したら、操作者は、筐体２１の後面２１ｂに設けられた回収用扉（図示省略）を開き、容器７２を取り出し、切断され且つ孔を開けられた包装箱１を回収してリサイクル業者に引き渡す。これにより、包装箱１の廃棄に掛かる費用や手間を低減することが考えられる
【００５０】
以上説明した本実施形態によれば、隣り合う切断刃５２，５２の間に損傷刃５３を設けることにより、損傷刃５３で包装箱１に孔を開けて、確実に損傷を与えることが可能となるため、隣り合う切断刃５２,５２の間隔を広げて、包装箱１の切断寸法を大きく取ることが可能となる。したがって、再生紙として再利用可能な寸法に包装箱１を切断することができる。
【００５１】
また、隣り合う切断刃５２，５２の間において複数配置されているため、包装箱１の損傷範囲を拡大させることが可能となり、隣り合う切断刃５２，５２の間隔を広げても、より確実に包装箱１に損傷を与えることができる。
【００５２】
また、損傷刃５３，５３は、円盤状に形成されており、外周面には、周方向に沿って等角度離間し且つ外方に向かって突出する複数の突起部５３ａ，５３ａが形成されているため、包装箱１の損傷範囲を拡大させることが可能となり、より確実に包装箱１に損傷を与えることができる。
【００５３】
さらに、バケット３１に包装箱１を大量に貯留することができるとともに、バケット３１を上昇させることによって大量の包装箱１をホッパ３５を介して処理部５の上に供給することができるので、大量の包装箱１を効率よく切断処理及び孔開け処理することができる。また、バケット３１を上昇させることによってバケット３１のホッパ３５側の被押圧部３１ｃを下方に押圧して、バケット３１をホッパ３５側に傾けることができるので、バケット３１を傾けるための駆動装置を別途設ける必要がなく、投入部３の構成を簡素化することができる。
【００５４】
以上、本発明の実施形態について図面を参照して詳細に説明したが、本発明はこれに限定されるものではなく、発明の主旨を逸脱しない範囲で適宜変更可能である。
本実施形態では、本発明のシュレッダー２を用いて包装箱１を処理する場合について説明したが、これに限定されるものではなく、本発明のシュレッダー２を用いて包装箱１に収納される使用説明書を処理してもよい。
【００５５】
また、本実施形態では、切断刃５２に４つの刃部５２ａを形成したが、これに限定されるものではなく、刃部５２ａの数は適宜変更してよい。
【００５６】
また、本実施形態では、回転軸５１、切断刃５２の孔部５２ｂ及び損傷刃５３の孔部５３ｂを六角形状に形成したが、これに限定されるものではなく、その形状は適宜変更してよい。
【００５７】
また、本実施形態では、損傷刃５３を、隣り合う各切断刃５２の間において３枚ずつ配置したが、これに限定されるものではなく、損傷刃５３の数は適宜変更してよい。
【００５８】
また、本実施形態では、損傷刃５３に６つの突起部５３ａを形成したが、これに限定されるものではなく、突起部５３ａの数は適宜変更してよい。
【符号の説明】
【００５９】
１      包装箱
２      シュレッダー
３      投入部
３１    バケット
３１ｂ  傾動軸
３１ｃ  被押圧部
３２    保持部
３３    本体部
３３ｄ  押圧部
３４    移動手段
３５    ホッパ
５      処理部
５１    回転軸
５２    切断刃
５２ａ  刃部
５２ｂ  孔部
５３    損傷刃
５３ａ  突起部
５３ｂ  孔部
５３ｃ  基端部
５３ｄ  先端部
７      回収部
７１    シュート
７２    容器
７３    固定用治具
【図１】
2011245403.tif 000003
【図２】
2011245403.tif 000004
【図３】
2011245403.tif 000005
【図４】
2011245403.tif 000006
【図５】
2011245403.tif 000007
【図６】
2011245403.tif 000008
【図７】
2011245403.tif 000009
【図８】
2011245403.tif 000010
【図９】
2011245403.tif 000011
【図１０】
2011245403.tif 000012